(57)【要約】      （修正有）【課題】生鮮食料品の空輸において、食品への空気の接触を減衰させること、及び、除菌性を高めたプレートを食料品の周囲に配することにより、鮮度維持機能を図った航空用コンテナを提供する。【解決手段】減圧にも耐える構造的な強度と機密性を確保する為に補強・機密性確保の為の補強機密具を配し、更に扉を閉じる周囲部分又は扉側に機密性を追求する為に機密性の高いゴム素材の枠７を配し、コンテナー内の空気圧の減圧の為に空気を吸い出しコンテナー内を真空又は減圧する為の吸気口８と弁と空気圧計９を内蔵する。コンテナーとは独立した減圧装置にて、コンテナー内の空気を吸気し、食品の空気との接触・食品の劣化を抑える為に減圧を行う。さらに、雑菌の発生を抑える為に銀成分を練り込んだ軽量で省スペースな組み立て可能な樹脂製の除菌パネルをコンテナー内側の食品の上下や側面部に設置し、食材の雑菌の繁殖を抑え、鮮度を維持する手段を追加しても良い。【選択図】図１
0003148237.tif 000002
【実用新案登録請求の範囲】
【請求項１】
天板と側板と底板とこれらの接合辺に強度補強の為の補強具と開閉式の扉から構成される航空機での輸送を目的とする航空コネテナーに於いて、保税上屋で税関の輸出検査をパスした後、食材の鮮度維持を目的に減圧にも耐える構造的な強度と機密性を確保する為に補強・機密性確保の為の補強機密具を配し、更に扉を閉じる周囲部分又は扉側に機密性を追求する為に機密性の高いゴム素材の枠を配し、コンテナー内の空気圧の減圧の為に空気を吸い出しコンテナー内を真空又は減圧する為の吸気口と弁と空気圧計を内蔵し、保税上屋に設置したコンテナーとは独立した減圧装置にて空気を吸気し、食品の空気との接触・食品の劣化を抑える為に減圧を行う事が可能な事を特徴とする航空輸送の為の航空コンテナー。
【請求項２】
天板と側板と底板とこれらの接合辺に強度補強の為の補強具と開閉式の扉から構成される航空機での輸送を目的とする航空コネテナーに於いて、雑菌の発生を抑える為に銀成分を練り込んだ軽量で省スペースな組み立て可能な樹脂製の除菌パネルをコンテナー内側の食品の上下や側面部に設置し、食材の雑菌の繁殖を抑え、鮮度を維持し、海外の消費者への輸出・輸送により海外の消費者の安全・安心の追求が可能な事を特徴とする航空コンテナー。
【請求項３】
天板と側板と底板とこれらの接合辺に強度補強の為の補強具と開閉式の扉から構成される航空機での輸送を目的とする航空コネテナーに於いて、食品の輸出先の仕向け地である食品の消費地から樹脂パネルと前記減圧航空コンテナーに日本への食品又は食品以外の各種の積荷を積載し、日本へこれらを積荷を積載しつつ返送し、コンテナーを再利用し、航空コンテナーと樹脂製除菌パネルを利用した高鮮度の食材を継続的に輸出が可能な事を特徴とする航空コンテナー。
【考案の詳細な説明】
【技術分野】
【０００１】本考案は、日本の各地方の特産品を海外の富裕国に鮮度を維持しつつ空輸する為の専用航空コンテナーに関するものです。
【背景技術】
【０００２】本考案は、世界の富裕層をターゲットに、鮮度を維持しつつ、日本の各地の特産品を航空機で輸送を目指す専用の航空コンテナーの技術分野に関する実用新案です。
【考案の開示】
【考案が解決しようとする課題】
【０００３】現在、日本経済は、好調な経済成長の牽引車となっていた第二次産業の輸出企業が北米のサブプライムローンと原油価格高騰の直撃を受け、大幅な減速を余儀なくされている。更に個人消費が回復されていない今日、第一次産業の畜産が飼料価格高騰を受け、更に農家や漁師もビニールハウスや漁船用重油や肥料価格の高騰により打撃を受け、食料の５９％近くを海外からの輸入に依存する日本経済は、苦しい状況に立たされており、インフレと不況の二重苦のスタグフレーションが危機的な事態を招いている。
日本の中央政府が国債に依存し、厳しい財政状況から大規模な公共事業の実施が困難な中、日本経済を回復基調に転換する為には、世界の富裕層をターゲットに日本の特産品を鮮度を維持しつつ、安全・安心の日本産ブランドとして差別化し、航空便で輸出し、農業・漁業等の第一次産業と輸送・輸出企業等の第三次産業の振興を図り地方での正規雇用機会の創出により日本各地の地域経済を底支えし、内需の購買力の回復により日本経済を回復軌道へ押し上げる事が求められている。宮崎県のマンゴーや札幌ラーメンセットや牛タンセット等を戦略的に海外の消費者へ鮮度を維持しつつ、輸出を図るものです。
この事により多額の県債を発行している地方自治体の財政再建を税収増により推進し、福祉や教育等の日本の地方での公共サービスの質の改革し、国内消費・内需の購買力の回復により第二次産業を回復に導く必要がある。
現在も海外在住の日本人他向けに、日本より日本の食材が冷蔵コンテナーにて空輸されているが、鮮度に優れた安全・安心の日本産の食品や特産品の差別化とブランドイメージ確立を目指し、鮮度の追求により、寿司や日本食や日本米や果物や日本酒等の各種の特産品を戦略的に輸出する事が日本経済の苦境からの脱却する上では不可欠です。更に輸出先の消費者へ日本のハイテクを駆使した科学的な手段を駆使した食品の鮮度管理のアピールにより、全世界での新規需要の創造と消費者のブランドイメージ構築が重要です。日本産の鮮度の極めて高い空輸された食品や特産品の差別化とブランド構築を図り、原油価格の値上がりを転嫁した適性価格にて新規需要創造と販路開拓を目指し、日本経済を地方より回復基調に押し上げる。
【課題を解決するための手段】
【０００４】本考案は、通常の側面と底面と天面と扉と航空コンテナーの機密性と強度確保の為の補強具から構成される航空コンテナーに於いて、扉の周囲部にゴム枠を付け、日本の各地の商品センターの保税上屋に減圧装置を設け、コンテナーと独立した装置で減圧を行い、空気の食品への接触を減衰させ、鮮度を追求するものです。
更に雑菌の繁殖を抑える目的で抗菌性の高い銀成分を練りこんだプレートを特産品の上下左右に側面と底面と天面の内側に配し、鮮度を科学的な手法にて追求し、消費者の安全・安心の高い鮮度の特産品のイメージ定着を目指すものです。
本プレートは、省スペースの為に薄いパネル形状から、現地で別な製品を積載し、パネルを積載し、日本へ輸送し、日本の生産者や商品センターへ返送するものです。
【考案の効果】
【０００５】本考案の航空コンテナーの導入により、厳格な鮮度管理の下で、海外の富裕層に高付加価値な農産品・魚介類・加工食品として安全で安心の特産品を海外の消費者へ提供により、低迷する日本経済を地方を牽引車に回復軌道に載せるものです。
食品には、消費期限があり、海外市場への輸出に際しては、安全・安心と鮮度の追求が求められる。海外市場への輸出に際しては、日本での税関での検査、コンテナーへの積み込み、航空輸送時の条件と、消費地での税関での検査や現地での物流や小売店での販売までの食材の安全・安心と鮮度追求の為の科学的な手法を消費地の消費者や商社や量販店や政府や税関へのアピールが重要です。
現在、世界中で寿司ブーム、日本食ブームが起こっており、このニーズを踏まえ、世界中の日本料理店や寿司屋向けに本場の鮮度の高い食材や加工食品を専用コンテナーで直送し、現地の消費者の顧客満足と新規需要に結び付ける。
【考案を実施するための最良の形態】
【０００６】本考案を実現するための最良の形態について説明します。本考案は、鮮度追求の為に減圧状態で強度を確保の為に機密性を追求と補強した航空便用コンテナーに於いてコンテナに減圧のバルブを設置し、日本国内の商品センター内の保税上屋に減圧コンプレッサー設備を設置するものです。  更に生鮮食品や加工食品の鮮度を保ち、世界の寿司屋や日本料理店や日本食材販売店へ輸出する為に、銀を練りこんだ除菌パネルを商品を積み込む空のコンテナーの上下左右奥手前に設置した上で税関をパスした食材等を積み込んだ上で、減圧し、鮮度を追求しつつ、航空便で輸送、輸出するものです。
【実施例】
【０００７】図１にて航空コンテナーの具体的な実施例について説明します。
本考案の基本的な実施例としては、専用コンテナーについては、輸出先の国に輸出後には、積荷と銀を練りこんだパネルを積載し、商品センターへコンテナーを空輸するものです。このようにコンテナーとパネルをリサイクルするものです。
【図面の簡単な説明】
【０００８】
【図面の簡単な説明】
【図１】本考案の航空コンテナーの外観図
【図２】本考案の航空コンテナーと保税上屋の減圧装置のホース接続時の外観図
【図３】本考案の航空コンテナーと除菌パネルを配置する際の外観図
【図４】本考案の航空コンテナーの側面からの外観図、保税上屋でコンプレッサーからのホース接続時
【図５】本考案の航空コンテナーの除菌パネルの外観図
【符号の説明】
【０００９】  １  航空コンテナーの天板
２  航空コンテナーの側板
３  航空コンテナーの斜めの底板
４  航空コンテナーの機密性と強度追求の為の構造体
５  航空コンテナーの底板
６  航空コンテナーの扉
７  減圧・機密性の確保の為のゴム素材の枠
８  空気を吸出し、減圧する為のホース接続口
９  空気圧計
１０  コンテナーとは独立した保税上屋に設置する減圧装置
１１  除菌パネル、斜め底用、取り外し可能
１２  除菌パネル、側面用、取り外し可能
１３  食材、農産物、魚介類、和牛、加工食品等の各地の特産物
１４  除菌パネル、底面用、取り外し可能
１５  除菌パネル、正面用、取り外し可能
１６  コンテナーとは独立した減圧装置からの空気吸出し用ホース、コンテナーに接続時
１７  除菌パネルに於ける吸気口と空気圧計の為の開口部
【図１】
0003148237.tif 000003
【図２】
0003148237.tif 000004
【図３】
0003148237.tif 000005
【図４】
0003148237.tif 000006
【図５】
0003148237.tif 000007
【手続補正書】
【提出日】平成20年10月30日(2008.10.30)
【手続補正１】
【補正対象書類名】実用新案登録請求の範囲
【補正対象項目名】全文
【補正方法】変更
【補正の内容】
【実用新案登録請求の範囲】
【請求項１】
天板と側板と背面板と底板とこれらの接合辺に機密性と強度追求の為の補強機密具である構造体と吸気口・空気弁・空気圧計を有し機密性の高いゴム素材の枠を配した開閉式の扉から構成される航空コネテナーに於いて、食材の鮮度維持を目的に減圧にも耐える構造的な強度と機密性を確保する為に機密性と強度追求の為の補強機密具である構造体を、天板と側板と底板と背面板の全ての接合辺に前記構造体を固定し、航空コンテナーを形成し強度補強を図り、更に扉を閉じる周囲部分又は扉側に機密性を追求する為に機密性の高いゴム素材の枠を配し、コンテナー内の空気圧の減圧の為に空気を吸い出しコンテナー内を真空又は減圧する為の吸気口と弁と空気圧計を内蔵し、食品の空気との接触・食品の劣化を抑える為に航空コンテナー内の空気の減圧を行う事が可能な事を特徴とする航空輸送の為の航空コンテナー。
【請求項２】
天板と側板と背面板と底板とこれらの接合辺に機密性と強度追求の為の補強機密具である構造体と開閉式の扉から構成される航空機での輸送を目的とする航空コネテナーに於いて、雑菌の発生を抑える為に銀成分を練り込んだ軽量で省スペースな組み立て可能な樹脂製の除菌パネルをコンテナー内側の食品の上下や側面部や底面に設置し、食材の雑菌の繁殖を抑え、鮮度を維持し、海外の消費者への輸出・輸送により海外の消費者の安全・安心の追求が可能な事を特徴とする請求項１記載の航空コンテナー。